(57)【要約】【課題】  ギターの共鳴胴部の上側面および／または背面に、共鳴胴部の共鳴を妨げることのないように、かつ安定良く取り付けることができ、演奏の妨げにならず見栄えも良いギター共鳴胴部保護カバーを提供する。【解決手段】  ギターの共鳴胴部１の上側面に取り付けられこの部位を保護する第一ギター共鳴胴部保護カバー５と、共鳴胴部１の背面に取り付けられこの部位を保護する第二ギター共鳴胴部保護カバー６は、共鳴胴部１の上側面および背面の形状に対応した形状に形成された硬質の薄板からなる保護カバー本体７，１９の内面に、保護カバー本体７，１９と共鳴胴部１との間の隙間１０，２４を確保するスペーサ９，２３を設け、保護カバー本体７，１９を共鳴胴部１に取り付ける吸盤１３，２０を備えた。【選択図】  図１
2006018146.tif 000002
【特許請求の範囲】
【請求項１】
ギターの共鳴胴部の上側面および／または背面に取り付けられ該部位を保護するギター共鳴胴部保護カバーであって、
前記共鳴胴部の上側面および／または背面の形状に対応した形状に形成された硬質の薄板からなる保護カバー本体の内面に、該保護カバー本体と前記共鳴胴部との間の隙間を確保するスペーサを設け、前記保護カバー本体を前記共鳴胴部に取り付ける吸盤を備えた取付具を前記保護カバー本体に設けたことを特徴とするギター共鳴胴部保護カバー。
【発明の詳細な説明】
【技術分野】
【０００１】
本発明は、ギターの共鳴胴部の上側面および／または背面に取り付けることにより、共鳴胴部の傷付きや汗による変色を防止するとともに奏者の身体が共鳴胴部に密着することを防止する保護カバーに関する。
【背景技術】
【０００２】
一般に、ギターを演奏する際には、演奏者は、共鳴胴部の背面に胸を当てるとともに、共鳴胴部の上側面に腕を乗せて演奏を行っている。このようなことから、共鳴胴部の腕や胸が接する部位が汗による変色などを起こしてしまうことがあり、また、演奏中に、演奏者の衣服のボタン等により、共鳴胴部に傷がついてしまうおそれもある。さらに、共鳴胴部に身体が密着することにより共鳴が妨げられ、ギターの音色が損なわれてしまうといったことがある。
【０００３】
傷付や汗から共鳴胴部を保護するものとして、胸と共鳴胴部との間や腕と共鳴胴部との間にタオルなどを挟んで演奏するといったことがみられる。しかし、挟んだタオルが演奏中に落ちるおそれがあり、タオルが落ちないように気を配って演奏しなければならず演奏に集中できないこともある。また、このようにタオルを挟んでの演奏は、見栄えが良いとは言えず、ステージ上での演奏ではほとんど行われていない。
【０００４】
そこで、従来、このようなタオルなどを用いずに演奏中の傷付や汗などから共鳴胴部を保護するために、共鳴胴部に被せるギター共鳴胴部保護カバーが知られている。このようなギター共鳴胴部保護カバーとしては、例えば、共鳴胴部の上側面を覆う部分と背面を覆う部分とを備え、防水加工した合成繊維などで形成されたギター共鳴胴部保護カバーが特許文献１に開示されており、また、吸盤によって共鳴胴部に取り付けるギター共鳴胴部保護カバーが特許文献２に開示されている。
【特許文献１】特開２００１−３０６０６３号公報
【特許文献２】実開昭６３−３０８９２号公報
【発明の開示】
【発明が解決しようとする課題】
【０００５】
しかし、上記特許文献１に開示されているギター共鳴胴部保護カバーは、軟らかい材質であるため、演奏中にめくれたりして、演奏しにくいという問題がある。また、見栄えも良いとはいえない。
【０００６】
一方、上記特許文献２には、ギター共鳴胴部保護カバーの取付状態が明瞭に開示されていない。ギター共鳴胴部保護カバーが共鳴胴部に隙間のない状態で取り付けられていると、共鳴胴部に演奏者の身体が密着しているのと同様、共鳴胴部の共鳴が妨げられ、ギターの音色が損なわれてしまう。また、ギター共鳴胴部保護カバーと共鳴胴部との間の隙間の確保が確実でないと、演奏時に胸や腕によってギター共鳴胴部保護カバーが押され、共鳴胴部に押しつけられることから、共鳴胴部の共鳴が妨げられてしまうといった問題がある。
【０００７】
本発明の目的は、ギターの共鳴胴部の上側面および／または背面に、共鳴胴部の共鳴を妨げることのないように、かつ安定良く取り付けることができ、演奏の妨げにならず見栄えも良いギター共鳴胴部保護カバーを提供することにある。
【課題を解決するための手段】
【０００８】
上記目的を達成するため、請求項１に記載の発明のギター共鳴胴部保護カバーは、ギターの共鳴胴部の上側面および／または背面に取り付けられ該部位を保護するギター共鳴胴部保護カバーであって、前記共鳴胴部の上側面および／または背面の形状に対応した形状に形成された硬質の薄板からなる保護カバー本体の内面に、該保護カバー本体と前記共鳴胴部との間の隙間を確保するスペーサを設け、前記保護カバー本体を前記共鳴胴部に取り付ける吸盤を備えた取付具を前記保護カバー本体に設けたことを特徴とする。
【０００９】
このような請求項１に記載の発明では、演奏者の胸や腕が接する部分である共鳴胴部の上側面や背面に、前記吸盤を用いて保護カバー本体が取り付けられる。このとき、保護カバー本体と共鳴胴部との間には前記スペーサにより隙間が確保される。
【発明の効果】
【００１０】
請求項１に記載の発明によれば、ギター共鳴胴部保護カバーは、スペーサによって保護カバー本体と共鳴胴部との間に隙間が確保された状態でかつ安定良く取り付けられる。そして、このように保護カバー本体と共鳴胴部との間の隙間がスペーサによって確保することができ、また、ギター共鳴胴部保護カバーにより、共鳴胴部への身体の密着を防止することができるので、共鳴胴部の共鳴が妨げられることもなく、ギターの音色が損なわれることを防止できる。また、演奏時、保護カバー本体に演奏者の胸や腕を押しつけても共鳴胴部との間の隙間はスペーサによって常に確保され、保護カバー本体が共鳴胴部に押しつけられることはないので、ギターの音色が損なわれることはない。
【００１１】
さらに、このようにスペーサによって保護カバー本体と共鳴胴部との間の隙間を確保することができるので、保護カバー本体に衝撃が伝わったとしてもこの衝撃は共鳴胴部には伝わらず、共鳴胴部を衝撃から保護することができる。
【００１２】
また、保護カバー本体は硬質の薄板からなり、演奏時にめくれたりすることはないので、演奏しやすく見栄えも良い。
【発明を実施するための最良の形態】
【００１３】
以下、本発明を実施するための最良の形態の一例について説明する。 
図１は本発明の実施の形態におけるギター共鳴胴部保護カバーを共鳴胴部に取り付けた状態を示す斜視図、図２および図３は図１に示すギター共鳴胴部保護カバーを示す斜視図、図４は図２に示すギター共鳴胴部保護カバーと図３に示すギター共鳴胴部保護カバーとを分解した状態を示す斜視図、図５は図１のＡ−Ａ線拡大断面図、図６は図１のＢ−Ｂ線拡大断面図である。
【００１４】
図１において、１はギターの共鳴胴部を示しており、この共鳴胴部１は、裏板２と、側板３と、裏板２に対向する表面板４（図５、図６参照）とで構成されている。この共鳴胴部１の裏板２と側板３の一部分には、それぞれ第一ギター共鳴胴部保護カバー５と第二ギター共鳴胴部保護カバー６とが取り付けられている。
【００１５】
共鳴胴部１の背面である裏板２に取り付けられる第一ギター共鳴胴部保護カバー５は、演奏時に演奏者の胸が接する部位に取り付けられこの部位を保護するようになっている。かかる第一ギター共鳴胴部保護カバー５は、保護カバー本体７と、保護カバー本体７に設けられた取付具８ａ，８ｂとを備えて構成されている。
【００１６】
前記保護カバー本体７は、木材、合成樹脂、皮革等の硬質の薄板で形成されている。また、保護カバー本体７は、その周縁部の一部７ａが、裏板２の第一ギター共鳴胴部保護カバー５を取り付ける部分の周縁部の形状に沿った形状となっている。そして、保護カバー本体７は、共鳴胴部１と同一の色彩および模様を有していることが好ましい。
【００１７】
保護カバー本体７の内面には、樹脂製のスペーサ９が複数設けられており、このスペーサ９は、共鳴胴部１に第一ギター共鳴胴部保護カバー５を取り付けたときに、裏板２に当接し、これにより、裏板２との間に隙間１０を確保することができるようになっている（図１、図５参照）。スペーサ９の配置は、図に示すものに限られるわけではないが、スペーサ９は、保護カバー本体７と共鳴胴部１の間の隙間１０を確保することができるような配置で保護カバー本体７に設けられる。
【００１８】
前記取付具８ａ，８ｂは、前記保護カバー本体７の内面にネジ１１によって固定されたＬ字形状のブラケット１２と、ブラケット１２に着脱自在に取り付けられ保護カバー本体７を共鳴胴部１に取り付けるための吸盤１３とを備えて構成されている。このような取付具８ａ，８ｂのうち、取付具８ｂは、第二ギター共鳴胴部保護カバー６の保護カバー本体（後述）を共鳴胴部１に取り付ける役割も有している。
【００１９】
吸盤１３は、吸盤本体部１４と突起部１５とが樹脂で一体に形成されて構成されている。突起部１５は、ブラケット１２に設けられた貫通孔１６に挿通されるようになっている。また、突起部１５の先端側には、ピン１７を挿通するための貫通孔１８が形成されている。そして、ブラケット１２の貫通孔１６に突起部１５をその根本まで挿通した後、ピン１７を貫通孔１８に挿通して、突起部１５の抜け止めをすることにより、吸盤１３がブラケット１２に着脱自在に取り付けられるようになっている。
【００２０】
次に、前記第二ギター共鳴胴部保護カバー６について説明する。第二ギター共鳴胴部保護カバー６は共鳴胴部１の上側面である側板３の上部に取り付けられる。かかる部位は、演奏時に演奏者の腕が接する部位であり、第二ギター共鳴胴部保護カバー６を取り付けることにより、かかる部位が保護されるようになっている。この第二ギター共鳴胴部保護カバー６は、保護カバー本体１９と保護カバー本体１９に設けられ第二ギター共鳴胴部保護カバー６を共鳴胴部１に取り付けるための吸盤２０とを備えて構成されている。
【００２１】
前記保護カバー本体１９は、木材、合成樹脂、皮革等の硬質の薄板で形成されている。かかる保護カバー本体１９は、第二ギター共鳴胴部保護カバー６を取り付ける部分の側板３の湾曲形状に沿うように湾曲して形成され側板３とほぼ同じ幅を有する板部２１と、この板部２１の一側縁から立設するリブ２２とから構成されている。第二ギター共鳴胴部保護カバー６は、板部２１が側板３の上に位置し、リブ２２が表面板４の上に位置するようにして共鳴胴部１に取り付けられる。
【００２２】
板部２１とリブ２２の内面には、樹脂製のスペーサ２３が複数設けられており、共鳴胴部１に第二ギター共鳴胴部保護カバー６を取り付けたときに、板部２１のスペーサ２３は側板３に当接し、リブ２２に設けられたスペーサ２３は表面板４に当接し、これにより、裏板２および表面板４との間に隙間２４を確保することができるようになっている（図１、図６参照）。スペーサ２３の配置は、図に示すものに限られるわけではないが、スペーサ２３は、保護カバー本体１９と共鳴胴部１の間の隙間２４を確保することができるような配置で保護カバー本体１９に設けられる。
【００２３】
前記吸盤２０は、保護カバー本体１９を共鳴胴部１に取り付けるためのものであり、請求項１に言う取付具を構成している。かかる吸盤２０は、吸盤本体部２５と突起部２６とが樹脂で一体に形成されて構成されている。突起部２６は、板部２１に設けられた貫通孔（図示省略）に挿通されるようになっている。そして、突起部２６の先端側には、ピン２７を挿通するための貫通孔２８が形成されており、板部２１の前記貫通孔に突起部２６をその根本まで挿通した後、ピン２７を貫通孔２８に挿通して突起部２６の抜け止めをすることにより、吸盤２０が板部２１に着脱自在に取り付けられるようになっている。
【００２４】
本例では、前記板部２１には、第一ギター共鳴胴部保護カバー５の取付具８ｂにおける吸盤１３の突起部１５を挿通するための貫通孔２９が設けられている。そして、図４に示すように、第一ギター共鳴胴部保護カバー５のブラケット１２の貫通孔１６と、第二ギター共鳴胴部保護カバー６の貫通孔２９に、吸盤１３の突起部１５を根本まで挿通した後、突起部１５の貫通孔１８にピン１７を挿通して突起部１５の抜け止めをすることにより、吸盤１３はブラケット１２と板部２１とに着脱自在に取り付けられるとともに、第一ギター共鳴胴部保護カバー５と第二ギター共鳴胴部保護カバー６とが連結されるようになっている。
【００２５】
次に、共鳴胴部１への第一ギター共鳴胴部保護カバー５と第二ギター共鳴胴部保護カバー６の取り付けについて説明する。
【００２６】
共鳴胴部１に第一ギター共鳴胴部保護カバー５と第二ギター共鳴胴部保護カバー６とを取り付けるには、先ず、第一ギター共鳴胴部保護カバー５を裏板２に取り付ける。第一ギター共鳴胴部保護カバー５は、取付具８ａにおけるブラケット１２に取り付けられた吸盤１３の吸盤本体部１４を側板３に固定するとともに、取付具８ｂにおけるブラケット１２の貫通孔１６に突起部１５を挿通した状態の吸盤１３（ピン１７を突起部１５の貫通孔１８に挿通しない状態）の吸盤本体部１４を側板３に固定することにより、裏板２に取り付ける。このとき、保護カバー本体７の内面に設けられたスペーサ９は裏板２に当接し、これにより、第一ギター共鳴胴部保護カバー５と裏板２との間に隙間１０が確保される。
【００２７】
次に、第二ギター共鳴胴部保護カバー６を側板３に取り付ける。第二ギター共鳴胴部保護カバー６は、板部２１に取り付けられた吸盤２０の吸盤本体部２５を側板３に固定するとともに、前記取付具８ｂにおける吸盤１３の突起部１５を、板部２１の貫通孔２９に挿通した後、ピン１７を突起部１５の貫通孔１８に挿通することにより、側板３に取り付ける。このとき、板部２１の内面に設けられたスペーサ２３が側板３に当接し、また、リブ２２の内面に設けられたスペーサ２３が表面板４に当接し、第二ギター共鳴胴部保護カバー６と側板３及び表面板４との間に隙間２４が確保される。
【００２８】
前記のようにして取り付けられた第一ギター共鳴胴部保護カバー５により、演奏者の胸が、演奏中に共鳴胴部１の裏板２に直接接することはないことから、かかる部位に、汗による変色が生じたり、傷がついたりすることはない。また、前記のようにして取り付けられた第二ギター共鳴胴部保護カバー６により、演奏者の腕が、演奏中に共鳴胴部１の側板３の上部に直接接することはないことから、かかる部位に、汗による変色が生じたり、傷がついたりすることはない。
【００２９】
そして、共鳴胴部１に取り付けられた第一ギター共鳴胴部保護カバー５、第二ギター共鳴胴部保護カバー６により、共鳴胴部１に演奏者の身体が密着することはなく、また、第一ギター共鳴胴部保護カバー５、第二ギター共鳴胴部保護カバー６は、スペーサ９とスペーサ２３によって共鳴胴部１との間に隙間１０，２４が確保された状態で共鳴胴部１に取り付けられるので、共鳴胴部１の共鳴が妨げられることはなく、ギターの音色が損なわれることを防止することができる。そして、演奏時、保護カバー本体７や保護カバー本体１９に演奏者の胸や腕を押しつけても共鳴胴部１との間の隙間１０，２４はスペーサ９とスペーサ２３によって常に確保され、保護カバー本体７と保護カバー本体１９が共鳴胴部１に押しつけられることはないので、ギターの音色が損なわれることはない。
【００３０】
さらに、このようにスペーサ９とスペーサ２３によって保護カバー本体７および保護カバー本体１９と、共鳴胴部１との間の隙間１０，２４を確保することができるので、保護カバー本体７および保護カバー本体１９に衝撃が加わったとしてもこの衝撃は共鳴胴部１には伝わらないことから、衝撃に強い。
【００３１】
一方で、このように隙間１０，２４が確保されていても、保護カバー本体７のスペーサ９と保護カバー本体１９のスペーサ２３が、共鳴胴部１に当接していることから、第一ギター共鳴胴部保護カバー５と第二ギター共鳴胴部保護カバー６を、がたつきなどが生じることなく安定して取り付けることができる。
【００３２】
また、第一ギター共鳴胴部保護カバー５、第二ギター共鳴胴部保護カバー６は、硬質の薄板で形成されているので、演奏時にめくれたりすることもなく、演奏しやすいとともに見栄えも良い。
【００３３】
また、取付具８ｂにより、第一ギター共鳴胴部保護カバー５と第二ギター共鳴胴部保護カバー６を連結して共鳴胴部１に取り付けるようにしたことから、取付のための部材数を少なくすることができる。
【００３４】
さらに、持ち運びの際には、第一ギター共鳴胴部保護カバー５と第二ギター共鳴胴部保護カバー６の連結を解除すれば、コンパクトになり、持ち運びが容易である。
【００３５】
なお、第一ギター共鳴胴部保護カバー５と第二ギター共鳴胴部保護カバー６の取付手順は、上述のものに限られず、例えば、第一ギター共鳴胴部保護カバー５と第二ギター共鳴胴部保護カバー６を先に連結した後、これを共鳴胴部１に取り付けてもよい。
【００３６】
また、保護カバー本体７と保護カバー本体１９は、共鳴胴部１に取り付ける際に、取付具８ｂによって連結する必要はなく、それぞれ別々に吸盤によって取り付けてもよい。
【図面の簡単な説明】
【００３７】
【図１】本発明の実施の形態におけるギター共鳴胴部保護カバーを共鳴胴部に取り付けた状態を示す斜視図。
【図２】図１に示すギター共鳴胴部保護カバーを示す斜視図。
【図３】図１に示すギター共鳴胴部保護カバーを示す斜視図。
【図４】図２に示すギター共鳴胴部保護カバーと図３に示すギター共鳴胴部保護カバーとを分解した状態を示す斜視図。
【図５】図１のＡ−Ａ線拡大断面図。
【図６】図１のＢ−Ｂ線拡大断面図。
【符号の説明】
【００３８】
１    共鳴胴部
２    裏板
３    側板
４    表面板
５    第一ギター共鳴胴部保護カバー
６    第二ギター共鳴胴部保護カバー
７    保護カバー本体
７ａ    周縁部の一部
８ａ，８ｂ    取付具
９    スペーサ
１０    隙間
１１    ネジ
１２    ブラケット
１３    吸盤
１４    吸盤本体部
１５    突起部
１６    貫通孔
１７    ピン
１８    貫通孔
１９    保護カバー本体
２０    吸盤
２１    板部
２２    リブ
２３    スペーサ
２４    隙間
２５    吸盤本体部
２６    突起部
２７    ピン
２８    貫通孔
２９    貫通孔
【図１】
2006018146.tif 000003
【図２】
2006018146.tif 000004
【図３】
2006018146.tif 000005
【図４】
2006018146.tif 000006
【図５】
2006018146.tif 000007
【図６】
2006018146.tif 000008